(57)【要約】【課題】  クールビズの実施に際しての襟元の乱れを整えるための新規な器具で、装着操作が容易で、装身具を兼ねることもできる器具を提供する。【解決手段】  ベース板部１の表裏に、ベース板部左右に表裏異なる方向で開口し、ベース板部の表面及び裏面との間に衣服縁部（身頃襟元端縁）Ａ，Ｂを挟持できる開閉選択機能を備えた挟持板部２，３、例えばベース板部１の左右に表裏の各挟持板部を枢結して開閉自体に形成すると共に、少なくともベース板部１また挟持板部の一方を磁性材料で形成し、他方に磁石部（磁石体）５を付設するか、或いは双方に磁石部を付設し、磁気吸引で挟持機能を付与したものである。【選択図】  図１
0003118760.tif 000002
【実用新案登録請求の範囲】
【請求項１】
ベース板部の表裏に、ベース板部左右に表裏異なる方向で開口し、ベース板部の表面及び裏面との間に衣服縁部を挟持できる開閉選択機能を備えた挟持板部を設けてなることを特徴とする衣服の襟元留め具。
【請求項２】
ベース板部の左右に表裏の各挟持板部を枢結して開閉自体に形成すると共に、少なくともベース板部また挟持板部の一方を磁性材料で形成し、他方に磁石部を付設するか、或いは双方に磁石部を付設し、磁気吸引で挟持機能を付与してなる請求項１記載の衣服の襟元留め具。
【請求項３】
磁石部を移動可能に設けると共に、前記移動磁石部の移動位置に対面して吸引極又は反発極となる対向磁石部を設けて磁気吸引挟持機能と磁気反発開口機能を付与してなる請求項２記載の衣服の襟元留め具。
【請求項４】
ベース板部の左右に表裏の各挟持板部を開口付勢状態で装着し、前記挟持板に閉口機構を付設してなる請求項１記載の衣服の襟元留め具。
【請求項５】
所定の弾性を備えると共に先部を跳ね上げた金属板製の挟持板部の基部を、ベース部に設けた受部に開口状態を維持できるように装着し、ベース板部側縁間に架設して回動自在とし、レバー部分をベース板部上面に重ねた際に、前記挟持板の基部浮き上がり部分をベース板部に押し付けて閉口状態とするカム部を備えたカムレバーを設けてなる請求項４記載の衣服の襟元留め具。
【請求項６】
樹脂製ベース板部の表裏左右端に各々形成したボックス部内に、所定の弾性を備えると共に先部がベース板部より適宜距離離反している樹脂製の挟持板部の基部を収納すると共に、回動操作でレバー部をベース板部と同一平面上に位置させた際に、挟持板部の基部を下圧して挟持板部の先部をベース板部に近接させるカム部をボックス内に配設したカムレバーを備えてなる請求項４記載の衣服の襟元留め具。
【請求項７】
挟持板部を、ベース板部の両端部で表裏に折り返し、開口方向に適宜な弾性を備えて形成し、前記折り返し部に、移動によって挟持板部を閉口する断面コの字状の操作体を跨設してなる請求項4記載の衣服の襟元留め具。
【請求項８】
表面側の挟持板部の表面を装飾部としてなる請求項１乃至７記載の何れかの衣服の襟元留め具。
【請求項９】
装飾部を、表面側の挟持板部に装飾板を装着して形成してなる請求項８記載の衣服の襟元留め具。
【請求項１０】
請求項５記載の衣服の襟元留め具において、表面側挟持板部における露出部分と、閉口状態時のカムレバーの表面露出部分を装飾部としてなる衣服の襟元留め具。
【請求項１１】
請求項６記載の衣服の襟元留め具において、カムレバーを前面から覆い隠す装飾板を表面側の挟持板部に装着してなる衣服の襟元留め具。
【請求項１２】
請求項７記載の衣服の襟元留め具において、表面側挟持板部における平衡状態時の露出部分と、操作体表面側を装飾部としてなる衣服の襟元留め具。
【考案の詳細な説明】
【技術分野】
【０００１】
本考案は衣服の襟元留め具に関するものである。
【背景技術】
【０００２】
近年クールビズと称されてネクタイを装着しない服装が採用されている。然しビジネスマンの着用するワイシャツ等は、本来ネクタイの着装を前提としているので、ネクタイを外し、第一ボタンを外すと襟元がだらし無く見えてしまう。このような箇所を留める留め具は従前より存在しない。
【０００３】
また類似するものとしては、実開昭６１−１９９２１２号公報（特許文献１）、特開平９−３０８５０７号公報（特許文献２）が知られている。特許文献１は、和服の衿用留めピンで、弾性線材を扁平Ｓ状に屈曲した留めピンで、左右開口部に衿裏を挟持するように使用されている。
【０００４】
また特許文献２は、スカーフ留めで、弾性を付与した（それ自体が弾性を備えているか、或いはバネ体で閉口付勢している）板体を端面扁平Ｓ状に形成して、一方の開口部で襟部を挟持し、他方開口部でスカーフを挟持するようにしているものである。
【０００５】
【特許文献１】実開昭６１−１９９２１２号公報。
【特許文献２】特開平９−３０８５０７号公報。
【考案の開示】
【考案が解決しようとする課題】
【０００６】
クールビズの採用によって見苦しくなる襟元を、所望の位置で左右の前身頃部分を止める襟元留め具を提供しようとした場合に、前記した従前の和服衿用留めピンや、スカーフ留め具を採用した場合に、前記器具は、閉口付勢（挟持付勢）されているので、右身頃（男性の場合）に器具を圧入若しくは開口操作を行って装着し、次に左身頃へも圧入若しくは開口操作を行って装着しなければならなく、必ずしも良好な操作性を備えているとは言い難い。
【０００７】
そこで本考案は、装着操作が容易で、装身具を兼ねることもできるボタン止めがなされていない箇所（襟元）を留める新規な器具を提案したものである。
【課題を解決するための手段】
【０００８】
本考案に係る衣類の襟元留め具は、ベース板部の表裏に、ベース板部左右に表裏異なる方向で開口し、ベース板部の表面及び裏面との間に衣服縁部を挟持できる開閉選択機能を備えた挟持板部を設けてなることを特徴とするものである。
【０００９】
而して裏面側の挟持板部を開口状態に維持して右身頃（男性用衣服の場合）の襟元を差し入れて挟持し、器具を一旦止着する。次にベース板部と表面側の挟持板部とで左身頃の襟元を挟持して襟元を閉じるものである。特に表面側の挟持板部の表面露出部分に適宜な装飾を施しておくことで、装身具として使用することもできる。
【００１０】
また本考案（請求項２）は、前記衣服の襟元留め具において、ベース板部の左右に表裏の各挟持板部を枢結して開閉自体に形成すると共に、少なくともベース板部また挟持板部の一方を磁性材料で形成し、他方に磁石部を付設するか、或いは双方に磁石部を付設し、磁気吸引で挟持機能を付与してなるものであり、開閉操作に際して、磁気吸引力に抗しての操作であり、容易に開口状態の維持ができ、器具装着の操作が容易になし得る。
【００１１】
また本考案（請求項４）は、特にベース板部の左右に表裏の各挟持板部を開口付勢状態で装着し、前記挟持板に閉口機構を付設してなる衣服の襟元留め具で、開口付勢されているので、そのまま身頃端縁（襟元部分）を開口内に差し入れて、閉口機構を操作することで器具の装着がなされるものである。
【考案の効果】
【００１２】
本考案は上記構成を備えた衣服の襟元留め具で、簡単な操作によって開いている襟元を所望の位置で閉じておくことができ、クールビズによる軽装を採用しても、襟元の乱れがなく、よりクールビズの実行が図られるものである。
【考案を実施するための最良の形態】
【００１３】
＜第一実施形態＞次に本考案の実施形態について説明する。図１乃至図７は、挟持作用に磁気吸引力を使用した第一実施形態を示したもので、特に図１乃至図３は第一実施例を示す。
【００１４】
第一実施例の襟元留め具は、ベース板部１、表面側挟持板部２、裏面側挟持板部３を各々磁性材で形成し、或いはベース板部１のみを磁性材で形成し、ベース板部１の左右において各挟持板部２，３をヒンジ４ａ，４ｂで枢結して開閉自体に形成し、各挟持板部２，３の挟持面側の適宜位置に磁石体（磁石部）５を設けてなるものである。尚ヒンジ４ａ，４ｂには、開口方向に付勢し、且つ閉口時における磁石体５の吸着力より弱い付勢力のバネを付設しておいても良い。
【００１５】
而して表面側挟持板部２をベース板部１に当接して、磁気吸引状態として、裏面側挟持板部３は開口して、右身頃（男性用衣服の場合）Ａの襟元を差し入れて挟持して器具を一旦衣類（右身頃Ａ）に止着する。そして表面側挟持板部２を磁気吸引力に抗して開口し、左身頃Ｂの襟元を差し入れた後、表面側の挟持板部２をべース板部１に吸引接着して左身頃Ｂの襟元を挟持し、襟元全体を所望位置で閉じることができたものである。
【００１６】
特に前記の第一実施形態においては、表裏面の各挟持板部２，３に磁石体５を設けたものであるが、図４（第二実施例）に示すように各挟持板部２，３を磁性材で形成した場合には、ベース板部１に磁石体５ａを設けておいても良い。
【００１７】
図５乃至図７は、磁石体を使用した開閉作用を備えた第三実施例を示したもので、基本構成は前記の第一実施例と同様にベース板部１、表面側挟持板部２、裏面側挟持板部３を備え、ベース板部１の左右において各挟持板部２，３をヒンジ４ａ，４ｂで枢結して開閉自体に形成したものである。
【００１８】
特に磁石体については、ベース板部１にスライド溝１１を設け、移動磁石体（たとえば表面側がＮ極、裏面側がＳ極とした場合について以下に説明する）５１を、前記スライド溝１１に移動自在に設けておく。ベース板部１と同一長さに形成している裏面側挟持板部３の挟持面には、挟持面の先端（開口箇所）近傍においてＮ極が露出した第一磁石体５２を設け、挟持面の基端（ヒンジ４ｂ）近傍においてＳ極が露出した第二磁石体５３を設けてなる。
【００１９】
更にベース板部１の約半分程度の長さに形成している表面側挟持板部２の挟持面には、Ｓ極が露出した第三磁石体５４を設けてなる。
【００２０】
而して移動磁石体５１を裏面側挟持板部３のヒンジ４ｂ箇所の近傍に移動させると、移動磁石体５１と第二磁石体５３の反発力で裏面側挟持板部３が開口状態となり、当該開口箇所に右身頃（男性用衣服の場合）Ａの襟元を差し入れ、移動磁石体５１をベース板部１の表面側挟持板部２の枢結箇所（ヒンジ４ａ）の近傍に移動させると、移動磁石体５１と対面する第一磁石体５２が吸引し、右身頃Ａを挟持する。
【００２１】
次に表面側挟持板部２を磁気吸引力に抗して開口し、左身頃Ｂの襟元を差し入れた後、表面側の挟持板部２をべース板部１に吸引接着して左身頃Ｂの襟元を挟持し、襟元全体を所望位置で閉じることができたものである。
【００２２】
＜第二実施形態＞  図８乃至図１３は、挟持作用に開口維持機構（開口付勢構造）と、閉口操作機構を備えた第二実施形態（第四〜六実施例）を示したもので、特に図８，９は第四実施例を示す。
【００２３】
第四実施例は、薄金属板の弾性を利用して開口状態を維持させ、カム板で閉口状態とするもので、ベース板部１ａの表裏に所定の開閉機構６ａ，６ｂを設けたものである。
【００２４】
表裏の開閉機構６ａ，６ｂは、受け部６１と、挟持板６２と、カムレバー６３とで構成したもので、受け部６１は、ベース板部１ａの約中間部分に設けたもので、衣類の襟元Ａ，Ｂを挟持した際に布地を傷めず、且つ挟持時にずれないように樹脂製で形成したものである。
【００２５】
挟持板６２は、所定の弾性を備えると共に、先部を跳ね上げた薄金属板製で、基部をベース部１ａの端部に枢結（枢結部６４）して、受け部６１に対して開口状態を維持できるように装着してなる。
【００２６】
カムレバー６３は、前記枢結部６４より中側において、ベース板部１ａの側縁間に架設して回動自在とし、起立したレバー部分をベース板１ａ部上面に倒伏して重ねた際に、基部（カム部）が、挟持板６２の基部の浮き上がり部分をベース板部に押し付け、受け部６１に挟持板６２を強圧するようにしたものである。
【００２７】
而してベース板部１ａの裏面側開閉機構６ｂのカムレバー６３を起立させ、受け部６１上に右身頃Ａの襟元を差し入れ、カムレバー６３を倒伏操作して右身頃Ａの襟元部分を挟持し、更に表面側開閉機構６ａで、左身頃Ｂの襟元を挟持して、襟元全体を閉じるものである。
【００２８】
図１０，１１は第五実施例で、前記第四実施例と同様にベース板部１ｂの表裏面に開閉機構７ａ，７ｂを設けたもので、開閉機構７ａ，７ｂは、樹脂製ベース板部１ｂの表裏左右端にボックス部１２を形成し、このボックス部１２内に、挟持板７１の基部と、カムレバー７２の基部を収納したものである。
【００２９】
挟持板７１は、所定の弾性を備え樹脂製で、先部がベース板部１ｂより適宜距離離反させて、基部を前記ボックス部１２内に収納すると共に、基端をボックス部１２の内側壁間に枢結してなる。
【００３０】
カムレバー７２は、先端カム部が前記ボックス部１２内における挟持板７１の基部とボックス部１２の天井面の間に位置させて、カムレバー７２の起立倒伏（挟持板基部の下圧による閉口作動と、下圧解除による開口作動）で、挟持板７１の先部が開閉するようにしたものである。
【００３１】
而してベース板部１ｂの裏面側の開閉機構７ｂのカムレバー７２を起立させ、ベース板部１ｂの裏面と裏面側開閉機構の挟持板７１との間に右身頃Ａの襟元を差し入れ、カムレバー７２を倒伏操作して右身頃Ａの襟元部分を挟持し、次に表面側の開閉機構７ａで、左身頃Ｂの襟元を挟持するものである。
【００３２】
特に図示したように、表面側開閉機構７ａの挟持板７１に、倒伏状態のカムレバー７２も覆い隠す装飾板７３を付設しておくと、装着時には装飾板７３のみが露出するもので、装身具としても機能するものである。
【００３３】
図１２，１３は第六実施例で、前記第四実施例と同様にベース板部１ｃの表裏面に開閉機構８ａ，８ｂを設けたもので、開閉機構８ａ，８ｂは、薄金属板製ベース板部１ｃの両端部を表裏に折り返して、挟持板部８１を形成し、この折り返し部に開閉操作を行う操作体８２を設けたものである。
【００３４】
即ち挟持板部８１は、折り返し部分から先部に向ってベース板部１ｃから離れる傾斜面とし、開口状態が維持される弾性を備えたものであり、操作体８２は、コの字状に折曲し、開口部で挟持板部８１とベース板部１ｃの折り返し部分を表裏で挟持するように跨らせてなるもので、操作体８２を押し込むことで、挟持板部８１が閉口方向に移動させるようにしたものである。
【００３５】
而して操作体８２を左右に引き出して表裏の挟持板部８１を開口状態とし、ベース板部１ｃの裏面において右身頃Ａの襟元を差し入れ、左側の操作体８２を押し込み、右身頃Ａの襟元部分をベース板部１ｃと挟持板部８１で挟持し、左側の操作体８２を押し込み、左身頃Ｂの襟元部分をベース板部１ｃと挟持板部８１で挟持して、襟元を整えるものである。
【図面の簡単な説明】
【００３６】
【図１】本考案の第一実施形態（第一実施例）の使用状態の正面図。
【図２】同第一実施例の全体斜視図。
【図３】同使用状態の説明図（平面図）。
【図４】同第二実施例の使用状態の説明図（平面図）。
【図５】同第三実施例の全体斜視図。
【図６】同使用状態の説明図（装着前平面図）。
【図７】同使用状態の説明図（装着後平面図）。
【図８】同第二実施形態（第四実施例）の全体斜視図。
【図９】同平面図。
【図１０】同第五実施例の平面図。
【図１１】同使用状態の説明図（平面図）。
【図１２】同第六実施例の平面図。
【図１３】同使用状態の説明図（平面図）。
【符号の説明】
【００３７】
１，１ａ，１ｂ，１ｃ      ベース板部
１１          スライド溝
１２          ボックス部
２            表面側挟持板部
３            裏面側挟持板部
４ａ，４ｂ    ヒンジ（枢結部）
５，５ａ      磁石体（磁石部）  
５１          移動磁石体
５２          第一磁石体
５３          第二磁石体
５４          第三磁石体
６ａ，６ｂ，７ａ，７ｂ，８ａ，８ｂ  開閉機構
６１          受け部
６２，７１    挟持板
６３，７２    カムレバー
６４          枢結部
７３          装飾板
８１          挟持板部
８２          操作体
【図１】
0003118760.tif 000003
【図２】
0003118760.tif 000004
【図３】
0003118760.tif 000005
【図４】
0003118760.tif 000006
【図５】
0003118760.tif 000007
【図６】
0003118760.tif 000008
【図７】
0003118760.tif 000009
【図８】
0003118760.tif 000010
【図９】
0003118760.tif 000011
【図１０】
0003118760.tif 000012
【図１１】
0003118760.tif 000013
【図１２】
0003118760.tif 000014
【図１３】
0003118760.tif 000015